(57)【要約】【課題】薄型化を達成しながら、更にデザイン面の多様化に対し十分な対応が出来、しかも取り付け構造を簡略化出来るソーラーセルの搭載構造を達成すること。【解決手段】リング形状のソーラーセルブロック２０を地板１０外周近辺に配置したソーラーセル搭載の電子時計であって、電子時計は板状部材である巻真スペーサー３０を地板１０より更に外周方向に延伸した延伸部３１にソーラーセルブロック２０を位置決め又は固定する為の固定部３８を形成すると共に、ソーラーセルブロック２０の上方に文字板４０を配置し、この文字板４０の少なくともソーラーセルブロック２０の上方は光透過性と成している。【選択図】　　　図２
2004069626.tif 000002
【特許請求の範囲】
【請求項１】
リング形状のソーラーセルを時計外周近辺に配置したソーラーセル搭載の電子時計において、該電子時計は板状部材を有し、この板状部材を時計の外周方向に延伸して、延伸部に前記ソーラーセルを位置決め又は固定する為の固定部を形成すると共に、前記ソーラーセルの上方に文字板を配置し、該文字板の少なくともソーラーセルの上方は光透過性であることを特徴とするソーラーセル搭載の電子時計。
【請求項２】
前記板状部材は、前記電子時計の外部操作部材としての巻真を保持する巻真スペーサーであることを特徴とする請求項１に記載のソーラーセル搭載の電子時計。
【請求項３】
前記板状部材は、時計基礎ムーブメントの基板となる地板であることを特徴とする請求項１に記載のソーラーセル搭載の電子時計。
【請求項４】
前記電子時計は、前記地板と前記ソーラーセルの断面高さ位置をほぼ同じ高さとなるように配置したことを特徴とする請求項１乃至請求項３のいずれかに記載のソーラーセル搭載の電子時計。
【請求項５】
前記板状部材には更に前記光透過型の文字板を位置決め又は固定する為の第２固定部を備えたことを特徴とする請求項１乃至請求項４のいずれかに記載のソーラーセル搭載の電子時計。
【請求項６】
前記光透過型の文字板のソーラーセルと重合しない中央部には色塗りされた遮光部を形成したことを特徴とする請求項１乃至請求項５のいずれかに記載のソーラーセル搭載の電子時計。
【請求項７】
前記遮光部は前記ソーラーセルの色にほぼ等しい色塗りのされたシールが配置されていることを特徴とする請求項６に記載のソーラーセル搭載の電子時計。
【請求項８】
前記板状部材の裏蓋側外周の形状は、外周に向かって徐々に薄くなっていることを特徴とする請求項１乃至請求項７のいずれかに記載のソーラーセル搭載の電子時計。
【請求項９】
前記巻真を着脱するための着脱レバーは、テコの原理を利用して文字板側に移動することによって前記巻真を着脱することを特徴とする請求項１乃至請求項８のいずれかに記載のソーラーセル搭載の電子時計。
【発明の詳細な説明】
【０００１】
【発明の属する技術分野】
本発明は、ソーラーセルを搭載した電子時計に関するものであり、詳しくは時計外周にリング状のソーラーセルを搭載した電子時計の構造に関する。
【０００２】
【従来の技術】
近年環境問題の観点から１次電池の使用を止めて時計内で発電した電源を２次電池に蓄えて、その電源を利用して時計を動かそうとする技術が目立ち始めてきた。現在発電源としては、太陽ばかりでなく照明の光をも発電源とするソーラーセルを用いた太陽電池方式や、回転錘を廻して磁石を高速回転させ発電する自動巻錘回転方式、あるいは温度差を利用した熱発電方式などがある。
【０００３】
このような方式の中で太陽電池方式は構成が簡単なこともあり、最近多く使用されてきている。しかし、従来の太陽電池方式の時計はソーラーセルが濃紫色を呈しているため表示面に直接配置すると、この色のために時計デザインが非常に限定されてしまう。そこで、ソーラーセルの上に光透過型の文字板を重ねてデザインの自由度を増すような工夫を施しているので、表示時刻を駆動するための時計基礎ムーブメントやソーラーセルあるいは文字板が積層構造となってしまい、どうしても時計全体の厚みが増してしまうという欠点を有することとなる。
【０００４】
そこで熟慮の結果、ソーラーセルをドーナツ状にして時計基礎ムーブメントとは平面的に重ならないよう断面高さ位置の配置を考慮すれば、時計の薄型化が可能となることに気が付いた。しかしこのような構造については、既に特開昭５２−１４１２７１号公報や特開昭５２−１４１２７２号公報などに開示されているところである。
【０００５】
上記公報の内特開昭５２−１４１２７１号には、太陽電池素子１がダイヤル２の裏側に取り付けられ、ダイヤルに設けられた複数の受光窓（実施例の第１図では貫通穴）に対応して太陽電池素子の受光面を配置する構成が記載されている。これによって時計体の厚みを増さない利点を達成している。
【０００６】
他方の公報である特開昭５２−１４１２７２号には、太陽電池素子２を文字板の下面に配置し文字板の受光窓（実施例の第１図では貫通穴）より受光すると共に、時計ムーブメント１の外周部に配設してケース３の一部に固定する構成が記載されている。これによって時計体の厚みを増さない利点を達成している。
【０００７】
【発明が解決しようとする課題】
しかしながら、上記の特開昭５２−１４１２７１号公報や特開昭５２−１４１２７２号公報は、薄型化は達成できても、時計のデザインの多様化への対応には大いに不向きな構成である。なぜならば、文字板の受光窓は、いずれの公報でも、貫通穴から太陽電池素子の受光面に直接に光が当たる形状にしているので、太陽電池素子の受光面の色が直接見えてしまうためである。
【０００８】
更には、太陽電池素子の固定構造でも、特開昭５２−１４１２７１号公報ではダイヤルの裏側に太陽電池素子を取り付けたり、特開昭５２−１４１２７２号公報ではケース３の一部に固定する等、非常に複雑な構造となっている。なぜならば、時計の場合電気的な接続を必要とする部品をケースや文字板に取り付けると、その電気的接続を取るための構造が非常に複雑となるためであるが、どちらの公報にもその辺の記載は成されていない。
【０００９】
本発明の目的は、薄型化を達成しながら、更にデザイン面の多様化に対し十分な対応が出来、しかも取り付け構造を簡略化出来るソーラーセルの搭載構造を達成することである。
【００１０】
【課題を解決するための手段】
上記目的を達成するための本願の要旨は、リング形状のソーラーセルを時計外周近辺に配置したソーラーセル搭載の電子時計であって、該電子時計は板状部材を有し、この板状部材を時計の外周方向に延伸した延伸部に前記ソーラーセルを位置決め又は固定する為の固定部を形成すると共に、前記ソーラーセルの上方に文字板を配置し、該文字板の少なくともソーラーセルの上方は光透過性と成したことを特徴としている。
【００１１】
前記板状部材は、前記電子時計の外部操作部材としての巻真を保持する巻真スペーサーや、時計基礎ムーブメントの基板となる地板であることを特徴とする。
【００１２】
また前記電子時計は、前記地板と前記ソーラーセルの断面高さ位置をほぼ同じ高さとなるように配置したことを特徴とする。
【００１３】
前記板状部材には、更に前記光透過型の文字板を位置決め又は固定する為の第２固定部を有する。
【００１４】
前記光透過型の文字板のソーラーセルと重合しない中央部には色塗りされた遮光部が形成され、この遮光部には前記ソーラーセルの色にほぼ等しい色塗りのされたシールが配置されていることを特徴とする。
【００１５】
更には、前記板状部材の裏蓋側外周の形状は外周に向かって徐々に薄くなっていることを特徴としている。
【００１６】
また、巻真を着脱するための着脱レバーは、テコの原理を利用して文字板側に移動させることによって前記巻真を着脱可能と成している。
【００１７】
【発明の実施の形態】
以下に図面を用いて本願発明の実施の形態を詳細に説明する。
図１から図９は、本願の第１実施の形態を現す図である。図３は裏蓋側から見た電子時計の平面図、図２は文字板側から見た電子時計の平面図、図１は本願を適用した電子時計で図３のＡＡ断面図、図４は図３のＢＢ断面図、図５は図２のＣＣ断面図、図６は図２のＤＤ断面図であり、また、図７はソーラーセルブロックの平面図、図８は図７のＥＥ断面図、図９は透光性の文字板の平面図である。
【００１８】
１０は地板で、時計基礎ムーブメントの基板となるものである。地板１０には筒車１１や巻真着脱レバー１２、あるいはオシドリ１３や筒車押エ１４、更には回路基板１５や回路支持板１６等の時計用機械部品や電気部品が組み込まれる。更には、外部操作部材である巻真１７も地板１０に組み込まれる部品である。
【００１９】
２０はソーラーセルブロックで、図７や図８に示すように、光発電を行うソーラーセル２１がソーラーセル受板２２の上に接着にて一体化されている。そのソーラーセルブロック２０のソーラーセル受板２２には平面方向位置決めのための切欠部ａ２３と切欠部ｂ２４が、また断面方向を固定するためにソーラーセルブロック２０の内周に３カ所の引掛け部２５と外周に１カ所の引掛け部２６が下方に９０度折り曲げられた形状で形成されている。
【００２０】
またソーラーセル２１には回路基板１５との電気的接続を取るための端子ａ２７と端子ｂ２８が２カ所設けられている。この両端子２７、２８と回路基板１５との電気的接続は、コイルバネａ１８とコイルバネｂ１９とでおこなわれる。
【００２１】
３０はプラスチック材料で出来た巻真スペーサーで、図１に示すように、巻真１７を地板１０と共に位置決め、保持を行っている。巻真スペーサー３０は、通常は地板１０とほぼ同じ大きさを有するものであるが、図５に示すように、本願では地板１０の外周より更に延伸させた延伸部３１を有していて、この延伸部３１にソーラーセルブロック２０が配置され、前述のコイルバネａ１８とコイルバネｂ１９はこの延伸部３１に穴を明けてこの穴でガイドされてソーラーセル２１と回路基板１５との電気的接続を行っている。
【００２２】
巻真スペーサー３０には、図６に示すように、ソーラーセルブロック２０の切欠部と係合する突起部ａ３２と突起部ｂ３３及び後述する文字板の切欠部と係合するための突起部ｃ３４と突起部ｄ３５が形成され、また、図５に示すように、ソーラーセルブロック２０の内周引掛け部２５を保持するためのフック部３８も配設されている。更には巻真スペーサー３０には、後で詳述するが、その外周方向に向かって次第に厚さが薄くなるように段部３７が形成されている。
【００２３】
４０は文字板で、図９に示すように、光を透過させる性質を有する、いわゆる光透過型の文字板である。この文字板４０には、前述の巻真スペーサー３０の突起部ｃ３４と突起部ｄ３５に係合する切欠部ｃ４１と切欠部ｄ４２が形成されている。また、５０は遮光シールで、ソーラーセルブロック２０の内周に図１に示す通りソーラーセル２１にわずかに重なるよう配置されている。遮光シール５０には、その中心に時計基礎ムーブメントの指針軸、例えば筒車１１等を貫通させるための遮光シール中心穴５１が開けられている。
【００２４】
６０は時計のケースで、裏蓋６１と側が一体化されたいわゆるワンピース構造を有している。ケース６０は、公知の構造ではあるが、他にベゼル６２や風防６３等から形成されている。また、７０はレバーで、巻真着脱の時使用する治具である。本実施の形態では前述のように裏蓋６１がワンピース構造を成すため、巻真着脱レバー１２を文字板４０方向に移動させて巻真１７を外す構造を取る。
【００２５】
さて、本実施の形態を更に詳しく説明する。時計基礎ムーブメントに付いては従来知られた構造であるので簡単に説明する。モータから輪列を介して時針を取り付ける筒車１１等の指針軸を駆動する。筒車１１は地板１０の上面に配設された筒車押エ１４により保持される。巻真１７にはオシドリ１３が係合し裏回り機構を構成する。巻真１７は巻真着脱レバー１２の操作で着脱が可能となっている。時計を駆動する電気部品は回路基板１５に搭載され、回路支持板１６で回路基板１５は固定されている。
【００２６】
ソーラーセルブロック２０は時計基礎ムーブメントの地板１０の最外周に内接するように、しかも図１に示すように、地板１０や筒車押エ１４と高さ位置をほぼ同一になるように配設する。この場合ソーラーセルブロック２０を位置決め且つ保持するために、巻真スペーサー３０は地板１０の外周より更に延伸させた延伸部３１を成形し、リング状のソーラーセルブロック２０をその上に配置する。
【００２７】
ソーラーセルブロック２０の上方には光透過型の文字板４０が配設される。これらソーラーセルブロック２０と光透過型文字板４０の位置決めは、両者に形成した切欠部と巻真スペーサー３０に形成した突起部とで成される。即ち、ソーラーセルブロック２０はその切欠部ａ２３を巻真スペーサー３０の突起部ａ３２へ、その切欠部ｂ２４を巻真スペーサー３０の突起部ｂ３３へ係合させて平面的な位置決めを行っている。断面的な位置決めについては後述する。
【００２８】
又同様に、文字板４０は、その切欠部ｃ４１を巻真スペーサー３０の突起部ｃ３４へ、　　　その切欠部ｄ４２を巻真スペーサー３０の突起部ｄ３５へ圧入するような形で押し込んで固定する。このようにすることで文字板４０に文字板足を形成することなく簡単に位置決め固定される。
【００２９】
上記の筒車押エ１４の上面は遮光シール５０によって覆われている。遮光シール５０の目的は、文字板４０が透光性であるために時計基礎ムーブメントの最上部にある筒車押エ１４の金属色が見えてしまうので、周囲のソーラーセル２１の色と中心の金属色とで見た目にちぐはぐなデザインとなってしまうため、遮光シール５０の上面をほぼソーラーセル２１の濃紫色に合わせて表示面の全体の色を同一にするためである。
【００３０】
このようにすることによって文字板４０全体を透光性のある文字板仕様が可能となり、デザイン面の改善が成される。尚、必ずしも遮光シール５０を配置しなくても、文字板４０の遮光シール５０対向部の裏面を色塗りすることによって筒車押エ１４の金属色を見えなくすることも可能である。この時は遮光シール５０を廃止することが出来る。
【００３１】
巻真スペーサー３０の延伸部３１の裏側は、巻真スペーサー３０の外周に行くに従い徐々に厚さが薄くなるよう、図５や図６に示すように、段部３７が形成されている。この段部３７に沿って裏蓋６１は傾斜面で形成される。これは、裏蓋の斜面を出来る限り中心に近い内側から形成することにより外装を含む時計全体の厚さを側面から見た時薄く見せるためで、この巻真スペーサー３０の段部３７によって時計の見た目の薄型化を達成している。
【００３２】
次に巻真１７の着脱方法について説明する。巻真着脱レバー１２の一端にはレバー穴１２ａが開けられていて、このレバー穴１２ａに治具であるレバー７０のレバー先端７１を入れ込み、レバー７０の中間部を巻真スペーサー３０に形成されたレバー当節部３６に押し当て、テコの原理を利用してレバー７０を矢印７２方向に回転させ、巻真着脱レバー１２を文字板側に持ち上げることで巻真１７からオシドリ１３を外し、巻真１７を引き抜くのである。このような構成により裏蓋６０がワンピース構造であっても容易に巻真の着脱を行うことが出来る。
【００３３】
次にソーラーセルブロック２０の断面方向位置決め構造である引掛け部の構成について説明する。ソーラーセルブロック２０のソーラーセル受板２２の内周側には、図２、図５や図７に示すように、巻真スペーサー３０に設けられたフック部３８に引掛ける引掛け部２５を３カ所、大略１２０度間隔で備えている。本来の固定の目的なら、引掛け部２５の３カ所で充分であるが、ソーラーセル２１には２カ所の端子、端子ａ２７と端子ｂ２８が形成され、回路基板１５と２カ所の端子との電気的導通をコイルバネａ１８とコイルバネｂ１９とで取っている。この２カ所のコイルバネの力によりソーラーセルブロック２０が浮いてしまう。そこで、２カ所の端子の間でしかもソーラーセル受板２２の外周側にもう１カ所引掛け部２６を設けている。これによってソーラーセルブロック２０の浮きを防止している。
【００３４】
以上第１の実施の形態について詳細に説明してきたが、本願はこの実施の形態に限定されるものではない。例えば、文字板については全体を透光性で形成したもので説明してきたが、基本的にはソーラーセルブロック２０の上方にある部分が透光性であれば良く、前述のように、中心部はソーラーセル２１の濃紫色に近似の色を焼き付け塗装などにより形成すれば、遮光シール５０を省くことが出来る。
【００３５】
また、ソーラーセルブロック２０を位置決め固定する部材を巻真スペーサー３０で説明してきたが、これに限定されるものではなく、時計の地板外周より更に延伸できる板状の部材で有れば如何なる時計部品であっても良い。特に近年は、地板がプラスチック部材で出来ているものもあり、このような場合は地板に延伸部を形成すれば充分に上述の機能を達成することが出来る。位置決め構造も、ソーラーセルブロック２０や文字板４０のフック構造や圧入構造に限定されるものではなく足を設けるなど他の構造を採用しても良い。
【００３６】
更に巻真スペーサー３０の延伸部３１の裏側に形成した段部３７についても、段である必要はなく、巻真スペーサー３０の外周に行くに従い徐々に厚さが薄くなるような構成であれば良い。例えば斜面形状などでも良いことは明白である。
【００３７】
次に本願の第２実施形態について説明する。図１０は文字板側から見た電子時計の平面図、図１１は図１０のＡ部の拡大図、図１２はソ−ラーセルブロックの平面図、図１３は図１２のＦＦ断面図である。第２実施形態は、時計基礎ムーブメントを第１実施形態と共通のものを使用し巻真スペーサーとソーラーセルブロックを角形とすることにより、電子時計を角形に形成した時の構造を示す。
【００３８】
１００はソ−ラーセルブロックで、その詳細は図１２と図１３に記載されている。外径が角形になった以外の基本的な構成、即ちソ−ラーセルブロック１００はソ−ラーセル１０１がソ−ラーセル受板１０２に接着にて貼り付け固定されているところは第１実施の形態と同じであるが、第１実施形態と異なるのは位置決め構造と引掛け部の構成である。
【００３９】
ソ−ラーセル受板１０２には、四角形状の各側辺に２カ所づつ計８個の突起部ｅ１０３が０．１ｍｍ程度の寸法で形成されている。この機能については後述する。ソ−ラーセル受板１０２には更に、ソ−ラーセルブロック１００を位置決めするために外周に３カ所の引掛け部１０４と内周に２カ所の引掛け部１０５が形成されている。１０６と１０７はそれぞれソ−ラーセル１０１の電気的接続を果たす端子ａと端子ｂを示している。
【００４０】
１１０は本願の板状部材に当たる巻真スペーサーであり、第１実施形態と同様に、地板外周よりも延伸させてこの延伸部に上述のソ−ラーセルブロック１００を保持する機能を有している。巻真スペーサー１１０の外周には枠１１１が形成され、枠１１１の内周で前述のソ−ラーセル受板１０２に形成された８個の突起部ｅ１０３と対応する位置にやはり８個の突起部ｆ１１２が配設されている。尚、１２０は第１実施形態と同機能を持つ遮光シールである。
【００４１】
ソ−ラーセルブロック１００の保持は、端子ａ１０６と端子ｂ１０７が一定方向に来るよう配慮をしながら巻真スペーサー１１０の枠１１１の内側にはめ込む。ソ−ラーセル受板１０２の突起部ｅ１０３と巻真スペーサー１１０の枠１１１に形成された突起部ｆ１１２とがほぼ合致するように位置合わせする。この時両突起部１０３と１１２との間には多少の隙間（３０ミクロンメートル程度）が有るように設計されている。
【００４２】
ソ−ラーセルブロック１００を更に押し込むとソ−ラーセル受板１０２に形成した外周３カ所の引掛け部１０４と内周２カ所の引掛け部１０５が、図示しない巻真スペーサー１１０のフック部に係合してソ−ラーセルブロック１００の保持固定が完了する。ここで、内周に引掛け部１０５を形成した理由は、ソ−ラーセル１０１にある端子ａ１０６と端子ｂ１０７に図示しないコイルバネが当たり、ソ−ラーセルブロック１００を持ち上げるため、この持ち上げ力に抗するように引掛け部１０５を両端子１０６と１０７の近傍に配設するものである。
【００４３】
図示しないが、本第２実施の形態においてもソーラーセル１０１の上方に透光性文字板が配置されるため、第１実施の形態同様に、時計基礎ムーブメントのある中央部分には円形の遮光シール１２０が配設される構成を有している。尚、本第２実施形態においても、記載した内容に限定されるものでないことは第１実施の形態と同様である。
【００４４】
【発明の効果】
以上詳細に説明したように、本願発明によれば、地板とソーラーセルの断面高さ位置をほぼ同じ高さとなるように配置したことやスペーサーの裏蓋側外周の形状は外周に向かって徐々に薄くなる段部を形成して、この段部に裏蓋を沿わせる等により、何よりもソーラーセル付きの電子時計でありながら充分な薄型化を可能とした。
【００４５】
また、ソーラーセルの上方に文字板を配置したことやソーラーセルと重合しない部分には色塗りされた遮光部である遮光シールを採用することで、文字板仕様に制限を与えることなく、いろいろのデザインの変化に対応可能となっている。
【００４６】
更に、ソ−ラーセルブロックの保持には時計基礎ムーブメントで使用している板状部材を使用しているため、部品点数を増やすことなくその取り付け構造を簡略化することが出来、時計全体の構造の複雑化を避けることができる。又、巻真の着脱をテコの原理を利用したため巻真着脱が非常に簡単に行えるようになった。
【図面の簡単な説明】
【図１】本願を適用した第１実施の形態による電子時計で後述の図３のＡＡ断面図である。
【図２】本願を適用した第１実施の形態による文字板側から見た電子時計の平面図である。
【図３】本願を適用した第１実施の形態による裏蓋側から見た電子時計の平面図である。
【図４】本願を適用した第１実施の形態による図３のＢＢ断面図である。
【図５】本願を適用した第１実施の形態による図２のＣＣ断面図である。
【図６】本願を適用した第１実施の形態による図２のＤＤ断面図である。
【図７】本願を適用した第１実施の形態によるソーラーセルブロックの平面図である。
【図８】本願を適用した第１実施の形態による図７のＥＥ断面図である。
【図９】本願を適用した第１実施の形態による透光性の文字板の平面図である。
【図１０】本願を適用した第２実施の形態による文字板側から見た電子時計の平面図である。
【図１１】本願を適用した第２実施の形態による図１０のＡ部の拡大図である。
【図１２】本願を適用した第２実施の形態によるソ−ラーセルブロックの平面図である。
【図１３】本願を適用した第２実施の形態による図１２のＦＦ断面図である。
【符号の説明】
１０　地板
１２　巻真着脱レバー
１５　回路基板
１７　巻真
２０、１００　ソーラーセルブロック
２１、１０１　ソーラーセル
２２、１０２　ソーラーセル受板
２３、２４　切欠部
２５、２６　引掛け部
３０、１１０　巻真スペーサー
３１　延伸部
３２、３３、３４、３５　突起部
３７　段部
３８　フック部
４０　文字板
４１、４２　切欠部
５０、１２０　遮光シール
６０　裏蓋
１０３　突起部
１０４、１０５　引掛け部
１１１　枠
１１２　突起部
【図１】
2004069626.tif 000003
【図２】
2004069626.tif 000004
【図３】
2004069626.tif 000005
【図４】
2004069626.tif 000006
【図５】
2004069626.tif 000007
【図６】
2004069626.tif 000008
【図７】
2004069626.tif 000009
【図８】
2004069626.tif 000010
【図９】
2004069626.tif 000011
【図１０】
2004069626.tif 000012
【図１１】
2004069626.tif 000013
【図１２】
2004069626.tif 000014
【図１３】
2004069626.tif 000015